(57)【要約】【課題】回線端末装置において、１周期で１６Ｈｚ鳴動信号が２回以上発生する呼出信号の場合でもリンギング着信ができるようにすること。【解決手段】リンギング停止検出タイマー部３２が呼出停止を検出すると、リンギング着信判定部３３では、リンギング継続監視タイマー部３１のタイマー値と着信条件設定部３４に設定されているリンギング呼出信号最大継続時間を比較し、特定事業者からの呼出かどうかの判定を行う。【選択図】図１
2005117383.tif 000002
【特許請求の範囲】
【請求項１】
回線から送出されてくるリンギング呼出信号の所定周波数の鳴動信号を検出するリンギング検出部と、リンギング着信時の応答条件としてリンギング呼出信号最大継続時間が設定されている着信条件設定部と、前記リンギング検出部で検出されたリンギング呼出信号の所定周波数の鳴動信号を監視し、最初の所定周波数の鳴動信号検出からスタートするタイマーを備えたリンギング継続監視タイマー部と、前記リンギング検出部で検出されたリンギング呼出信号の所定周波数の鳴動信号を監視し、所定周波数の鳴動信号検出後未検出状態になるとスタートし、未検出状態が所定時間継続した場合、リンギング呼出停止と判定するリンギング停止検出タイマー部と、前記リンギング停止検出タイマー部がリンギング呼出停止と判定したタイミングで前記リンギング継続監視タイマー部のタイマー値と前記着信条件設定部に設定されているリンギング呼出信号最大継続時間を比較して応答条件が成立したかどうかを判定するリンギング着信判定部とからなる回線端末装置。
【請求項２】
リンギング停止検出タイマー部のリンギング呼出停止と判定する所定時間を３秒とした請求項１記載の回線端末装置。
【請求項３】
着信条件設定部は、所定周波数の鳴動信号の回数が設定された場合は設定回数に３秒を乗じた時間をリンギング呼出信号最大継続時間とする請求項１または２記載の回線端末装置。
【請求項４】
リンギング停止検出部のリンギング呼出停止と判定する所定時間をリンギング呼出信号最大継続時間にさらに足した値を比較値とするリンギング着信条件設定部を備えた請求項３記載の回線端末装置。
【請求項５】
リンギング継続監視タイマー部は、リンギング停止検出部がリンギング呼出停止を検出するとストップし、リンギング検出部より新たにリンギング呼出信号の所定周波数の鳴動信号を検出した時点からタイマーを再スタートする請求項１〜４のいずれか１項に記載の回線端末装置。
【請求項６】
回線側との通信を行う送受信部と、送受信部で受信したリンギング着信時の応答条件データを着信条件設定部に設定する中央制御部を備えた請求項１〜５のいずれか１項に記載の回線端末装置。
【請求項７】
データ端末装置との通信を行う端末インターフェース部と、端末インターフェース部でリンギング着信時の応答条件データを受信した場合は着信条件設定部にそのデータを設定する中央制御部を備えた請求項１〜７のいずれか１項に記載の回線端末装置。
【発明の詳細な説明】
【技術分野】
【０００１】
本発明は、公衆回線網を利用したリンギング通信により、ホームセキュリティ盤やガス遮断装置等のデータ端末装置の情報を収集する回線端末装置に関するものである。
【背景技術】
【０００２】
従来この種の回線端末装置は公衆回線を介して送出されるリンギング呼出信号の所定周波数の鳴動信号を検出するリンギング検出部と、リンギング着信応答条件としてリンギング呼出信号の所定周波数の鳴動信号回数が設定されている着信回数設定部と、前記リンギング検出部で検出されたリンギング呼出信号の所定周波数の鳴動信号回数をカウントし、そのカウント回数と前記着信回数設定部で設定された回数とを比較して前記リンギング着信応答条件が成立したかどうかを判定するリンギング着信判定部という構成をしているものがあった（例えば、特許文献１参照）。
【０００３】
また、図６に示すような構成の回線端末装置ものもあった。図６を用いて従来の回線端末装置１について説明する。  
【０００４】
なお、説明の中ではリンギング呼出信号の所定周波数の鳴動信号は公衆回線では周波数が１５〜２０ＨＺとなり、ターミナルアダプタの種類によってはさらに周波数の範囲が広がる。ここではこの「所定周波数の鳴動信号」を「１６Ｈｚ鳴動信号」という一般的な呼称で説明する。
【０００５】
まず、回線端末装置１はデータ端末装置２の情報を公衆回線３と交換局４を介してガス供給事業者に設置された中央監視装置５で収集する装置である。
【０００６】
ここで、データ端末装置２はマイクロコンピュータ内蔵の通信機能付き装置で、ガス需要家宅に取り付けられたガスメータに内蔵され、ガスの使用状態を電文で読み出せるようになっている。１１は端末インターフェース部でデータ端末装置２との間で電文の送受信を行う。１０は中央制御部で回線端末装置１の受信した電文の解析や全体の制御を行う。またガス需要家宅の電話機６はこの回線端末装置１を介して公衆回線３に接続されている。
【０００７】
そして、回線端末装置１では、１６Ｈｚ鳴動信号があらかじめ着信条件設定部１２に設定されている最大発生回数を越えると中央監視装置５からの呼出ではなく、一般の呼出として無効判定し、越えない場合は中央監視装置５からの呼出として判定し、かつこの呼出が連続して発生し、着信条件設定部１２に設定された連続呼出回数になった場合、中央監視装置５からの呼出と特定し、着信応答を行うようになっている。
【０００８】
ここで、呼出が開始された場合、リンギング呼出信号発生時の状態を図７に示す。通常、この図のように３秒周期で１秒間１６Ｈｚ鳴動信号が発生するので、リンギング検出部１６の出力も１６Ｈｚ鳴動信号が到来している間はリンギング信号検出状態を３秒周期で１秒間出力する。
【０００９】
次に、リンギング着信動作について図６を用いて、具体的に説明する。
【００１０】
ここでは着信応答条件設定部１２に製品生産時にあらかじめ１６Ｈｚ鳴動信号の最大発生回数が２回、連続呼出回数が３回を設定される。
【００１１】
まず、リンギング通信は中央監視装置５からの呼出の発信よって開始され、発信を受けた交換局４では回線端末装置１が接続されている公衆回線３に対して極性反転に続いて３秒周期で１秒間１６Ｈｚの鳴動信号を重畳させたリンギング呼出信号を送出する。この１６Ｈｚ鳴動信号により電話機６が鳴動する。
【００１２】
この時の呼出状態が図８である。この場合、中央監視装置５では発信後呼出が開始された後５秒経過後に発信を中止し、１６Ｈｚの鳴動回数が２回までとなるようにしている。
【００１３】
このように中央監視装置５では、１６Ｈｚ鳴動回数が着信条件設定部１２に対してあらかじめリンギング着信応答する条件として設定されている１６Ｈｚ鳴動信号の最大発生回数の２回以下となるように、呼出を開始後に途中で発信を中止する。
【００１４】
この時、リンギング着信判定部１３ではリンギング検出部１６からの１６Ｈｚ鳴動信号の検出回数を計数し、着信条件設定部１２で設定された１６Ｈｚ鳴動信号の発生回数と比較し、超えた場合は無効とし、越えなかった場合は有効とする。
【００１５】
中央監視装置５では、図８で示された呼出を一定間隔で連続して３回行う。
【００１６】
リンギング着信判定部１３は呼出回数が３回になると条件成立と判定するようになっているので、３回目の呼出の１６Ｈｚ鳴動信号を検出すると、中央制御部１０は網制御部１４で回線を閉結し、リンギング着信応答部１７からは着信応答信号を送信する。この着信応答信号は公衆回線３と交換局４を介して、中央監視装置５へ伝えられる。
【００１７】
以降は送受信部１５と端末インターフェース部１１を介してデータ端末装置２の通信が行われる。
【特許文献１】特開２００２−１２５０６０号公報
【発明の開示】
【発明が解決しようとする課題】
【００１８】
しかしながら、前記従来のような構成では、鳴り分けサービスや、ナンバーディスプレイサービスをＮＴＴと需要家が契約していた場合や、図９のように公衆回線がＩＳＤＮ回線４３の場合で、ターミナルアダプタ４４のアナログポート経由で回線端末装置１が接続されている場合で、かつ疑似鳴り分けサービスやナンバーディスプレイサービスの利用設定がされている場合は、３秒周期で１秒間１６Ｈｚの鳴動信号を重畳させたリンギング呼出信号が送出されてこない場合があり、誤動作してしまうことがあった。
【００１９】
図１０にＮＴＴナンバーディスプレイサービス契約時での呼出中の信号状態図を示す。
【００２０】
ナンバーディスプレイサービスを契約すると、交換局４から極性反転発生後最初に情報受信端末起動信号として、電話機鳴動信号と同じ１６Ｈｚ信号が１秒周期で０．５秒間重畳して送出される。
【００２１】
この場合、図８で説明したのと同じ時間の５秒間呼出を行うと、リンギング検出部１６では５回の１６Ｈｚ鳴動信号の回数が検出される。
【００２２】
そのためリンギング着信判定部１３では、着信条件設定部１２であらかじめリンギング着信応答する条件として設定されている１６Ｈｚ鳴動信号の最大発生回数２回を越えるため、この呼出が中央監視装置５からの呼出であっても、無効と誤判定してしまう。
【００２３】
従って、１周期で１６Ｈｚ鳴動信号が１回にならない呼出信号の場合はリンギング着信ができないという課題を有していた。
【００２４】
本発明は、前記従来の課題を解決するもので、１周期で１６Ｈｚ鳴動信号が２回以上発生する呼出信号の場合でもリンギング着信ができるようにすることができる回線端末装置を提供することを目的とする。
【課題を解決するための手段】
【００２５】
前記従来の課題を解決するために、本発明の回線端末装置は、回線から送出されてくるリンギング呼出信号の所定周波数の鳴動信号を検出するリンギング検出部と、リンギング着信時の応答条件としてリンギング呼出信号最大継続時間が設定されている着信条件設定部と、リンギング検出部で検出されたリンギング呼出信号の所定周波数の鳴動信号を監視し、最初の所定周波数の鳴動信号検出からスタートするタイマーを備えたリンギング継続監視タイマー部と、リンギング検出部で検出されたリンギング呼出信号の所定周波数の鳴動信号を監視し、所定周波数の鳴動信号検出後未検出状態になるとスタートし、未検出状態が所定時間継続した場合、リンギング呼出停止と判定するリンギング停止検出タイマー部と、リンギング停止検出タイマー部がリンギング呼出停止と判定したタイミングでリンギング継続監視タイマー部のタイマー値と着信条件設定部に設定されているリンギング呼出信号最大継続時間を比較して応答条件が成立したかどうかを判定するリンギング着信判定部としたものである。
【００２６】
これによって、回線から送出されるリンギング呼出信号の所定周波数の鳴動信号をリンギング検出部で検出すると、リンギング継続監視タイマー部のタイマーがスタートする。
【００２７】
一方、所定周波数の鳴動信号が検出状態から未検出状態になるとリンギング停止検出タイマー部のタイマーもスタートし、未検出状態が所定時間継続した場合、リンギング呼出停止と判定する。リンギング着信判定部ではリンギング呼出停止と判定したタイミングでリンギング継続監視タイマー部のタイマー値と着信条件設定部に設定されているリンギング呼出信号最大継続時間を比較して条件が成立したかどうかを判定する。
【００２８】
従って、所定周波数の鳴動信号の発生を起点として呼出の停止を所定周波数の鳴動信号が所定時間連続して検出しなくなるまでとしてこの時間を計測することで、１周期で所定周波数の鳴動信号が１回にならない呼出信号が発生する場合でも、特定の事業者からの呼出であるか一般の呼出であるかの判定を行うことができるので、リンギング着信が可能となる。
【発明の効果】
【００２９】
本発明の回線端末装置によれば、１６Ｈｚ鳴動信号の発生を起点として、呼出の停止を１６Ｈｚ鳴動信号が所定時間連続して検出しなくなるまでの時間を計測することで、中央監視装置からの呼出であるか一般の呼出であるかの判定を行うことができるので、１６Ｈｚ鳴動回数により特定事業者からの呼出を特定するリンギング着信システムにおいて、１周期中に１６Ｈｚ鳴動信号が１回にならない呼出信号の場合でも、特定の事業者からの呼出を識別できるのでリンギング着信が可能となる。
【発明を実施するための最良の形態】
【００３０】
第１の発明は、回線から送出されてくるリンギング呼出信号の所定周波数の鳴動信号を検出するリンギング検出部と、リンギング着信時の応答条件としてリンギング呼出信号最大継続時間が設定されている着信条件設定部と、リンギング検出部で検出されたリンギング呼出信号の所定周波数の鳴動信号を監視し、最初の所定周波数の鳴動信号検出からスタートするタイマーを備えたリンギング継続監視タイマー部と、リンギング検出部で検出されたリンギング呼出信号の所定周波数の鳴動信号を監視し、所定周波数の鳴動信号検出後未検出状態になるとスタートし、未検出状態が所定時間継続した場合、リンギング呼出停止と判定するリンギング停止検出タイマー部と、リンギング停止検出タイマー部がリンギング呼出停止と判定したタイミングでリンギング継続監視タイマー部のタイマー値と着信条件設定部に設定されているリンギング呼出信号最大継続時間を比較して応答条件が成立したかどうかを判定するリンギング着信判定部とすることにより、回線から送出されるリンギング呼出信号の所定周波数の鳴動信号をリンギング検出部で検出すると、リンギング継続監視タイマー部のタイマーがスタートする。
【００３１】
一方、所定周波数の鳴動信号が検出状態から未検出状態になるとリンギング停止検出タイマー部のタイマーもスタートし、未検出状態が所定時間継続した場合、リンギング呼出停止と判定する。リンギング着信判定部ではリンギング呼出停止と判定したタイミングでリンギング継続監視タイマー部のタイマー値と着信条件設定部に設定されているリンギング呼出信号最大継続時間を比較して条件が成立したかどうかを判定する。
【００３２】
従って、所定周波数の鳴動信号の発生を起点として呼出の停止を所定周波数の鳴動信号が所定時間連続して検出しなくなるまでとしてこの時間を計測することで、１周期で所定周波数の鳴動信号が１回にならない呼出信号が発生する場合でも、特定の事業者からの呼出であるか一般の呼出であるかの判定を行うことができるので、リンギング着信が可能となる。
【００３３】
第２の発明は、特に、第１の発明の回線端末装置のリンギング停止検出タイマー部をリンギング呼出停止と判定する所定時間を３秒とすることにより、呼出信号の１周期が３秒と規定されているので、１周期に相当する時間である３秒間連続して所定周波数の鳴動信号を検出しなくなった時に呼出の停止と判定することで、回線へのサービス等により所定周波数の鳴動信号の連続継続時間や休止時間が変わっても呼出停止を確実に判定できる。
【００３４】
第３の発明は、特に、第１または第２の発明の回線端末装置の着信条件設定部を、所定周波数の鳴動信号の回数が設定された場合は設定回数に３秒を乗じた時間をリンギング呼出信号最大継続時間とするとすることにより、呼出信号の周期が３秒と規定されているので、１周期中に所定周波数の鳴動信号の発生回数が２回以上となる回線に接続されている場合でも、発生した呼出が特定の事業者からの呼出であるかを判定することができる。
【００３５】
第４の発明は、特に、第３の発明の回線端末装置のリンギング着信条件設定部を、リンギング停止検出部のリンギング呼出停止と判定する所定時間をリンギング呼出信号最大継続時間にさらに足した値を比較値とすることにより、リンギング停止検出タイマー部のリンギング呼出停止と判定するまでの遅れを相殺することにができ、１回分の呼出時間を短くした場合でも精度の良い判定ができる。
【００３６】
第５の発明は、特に、第１〜４のいずれか１つの発明の回線端末装置のリンギング継続監視タイマー部を、リンギング停止検出部がリンギング呼出停止を検出するとストップし、リンギング検出部より新たにリンギング呼出信号の所定周波数の鳴動信号を検出した時点からタイマーを再スタートすることにより、呼出と呼出の間、不必要な時にはタイマーを動かすことがなくなるため、リンギング継続監視タイマー部の無駄な動作をとめることができ、回線端末装置が電池を電源とする場合は低消費電力化でき、低コスト化や省スペース化ができる。
【００３７】
第６の発明は、特に、第１〜５のいずれか１つの発明の回線端末装置に、回線側との通信を行う送受信部と、送受信部で受信したリンギング着信時の応答条件データをリンギング着信条件設定部に設定する中央制御部とを備えたことにより、回線側からの通信によりリンギング着信条件設定部にあらかじめ設定されているリンギング着信時の応答条件データを任意に変更できるので、１つの回線に複数台の回線端末装置を設置することが可能になる。
【００３８】
第７の発明は、特に、第１〜６のいずれか１つの発明の回線端末装置に、データ端末装置との通信を行う端末インターフェース部と、端末インターフェース部でリンギング着信時の応答条件データを受信した場合はリンギング着信条件設定部にそのデータを設定する中央制御部とを備えたことにより、設置作業者が回線端末装置の設置現場で直接、リンギング着信時の応答条件データを設定できるため、効率的な設置作業ができる。
【００３９】
以下、本発明の実施の形態について図面を参照しながら説明する。
【００４０】
（実施の形態１）
図１は、本発明の第１の実施例における回線端末装置のブロック構成図である。なお図６と同一符号のものは同じ名称と同じ機能を有する構成要素であり、その説明を省略する。  
【００４１】
この説明では、リンギング呼出信号の所定周波数の鳴動信号を１６Ｈｚ鳴動信号として説明する。また中央監視装置５からは呼出時に１回の呼出での１６Ｈｚ鳴動信号の最大発生回数を２回、そしてこの呼出を連続して３回行うこととする。
【００４２】
３２はリンギング停止検出タイマー部で、リンギング検出部１６で検出されたリンギング呼出信号の１６Ｈｚ鳴動信号を監視し、１６Ｈｚ鳴動信号検出後、未検出となった時にスタートし、未検出状態が所定時間継続した場合、リンギング呼出停止と判定する。ここでリンギング呼出停止と判定する未検出状態の所定時間は呼出信号の１周期にあたる３秒とする。従って一度、呼出の１６Ｈｚ鳴動信号を検出してからは、３秒間連続して１６Ｈｚ鳴動信号を検出しなかった場合に呼出が停止したと判定する。
【００４３】
３４は着信条件設定部で、あらかじめリンギング着信時の応答条件としてリンギング呼出信号最大継続時間が設定されている。ここでは１回の呼出で発生する１６Ｈｚ鳴動信号の最大発生回数が２回に設定された場合、この設定回数に呼出信号の１周期である３秒を乗じた時間である６秒に、リンギング停止検出タイマー部３２でリンギング呼出停止と判定する所定時間３秒が足されて９秒がリンギング呼出信号最大継続時間として設定されることになる。
【００４４】
３１はリンギング継続監視タイマー部で、リンギング検出部１６で検出されたリンギング呼出信号の１６Ｈｚ鳴動信号を監視し、呼出しの最初に１６Ｈｚ鳴動信号を検出するとスタートするタイマーを備えている。またこのリンギング継続監視タイマー部３１のタイマーはリンギング停止検出タイマー部３２がリンギング停止を検出するとタイマーをストップし、リンギング検出部１６より新たにリンギング呼出信号の１６Ｈｚ鳴動信号を検出した時点からタイマーを再スタートする。
【００４５】
３３はリンギング着信判定部で、リンギング停止検出タイマー部３２がリンギング呼出停止と判定したタイミングでリンギング継続監視タイマー部３１のタイマー値と着信条件設定部３４に設定されているリンギング呼出信号最大継続時間である９秒とを比較して条件が成立したかどうかを判定する。
【００４６】
以上のように構成された回線端末装置４１について、以下その動作、作用を説明する。
【００４７】
まず一般の呼出で７．５秒間呼出をしたケースでのリンギング呼出信号到来時の信号状態を図２に示す。この図のように公衆回線３には３秒周期で１秒間１６Ｈｚ鳴動信号が重畳されて呼出が行われる。従ってリンギング検出部１６の出力は１６Ｈｚ鳴動信号が到来している間はリンギング信号検出状態を３秒周期で１秒間出力する。
【００４８】
最初の１６Ｈｚ鳴動信号の先頭からリンギング継続監視タイマー部３１のタイマーがスタートする。１秒経過し１６Ｈｚ鳴動信号が一旦停止すると、直後からリンギング停止検出タイマー部３２もスタートする。そして最初の１６Ｈｚ鳴動信号に続いて、２秒後には２つ目の１６Ｈｚ鳴動信号がやってくる。
【００４９】
するとリンギング停止検出タイマー部３２は一旦ストップする。１秒経過し１６Ｈｚ鳴動信号が一旦停止すると、直後からリンギング停止検出タイマー部３２が再スタートすることが繰り返される。
【００５０】
３つ目の１６Ｈｚ鳴動信号がやってきた後、１秒経過し１６Ｈｚ鳴動信号が一旦停止すると、直後からリンギング停止検出タイマー部３２が再スタートする。
【００５１】
この後、呼出が終了されるとリンギング停止検出タイマー部３２のタイマーは３秒経過して、呼出停止を検出する。この時、リンギング継続監視タイマー部３１のタイマー値は１０秒になっている。
【００５２】
リンギング着信判定部３３では、リンギング停止検出タイマー部３２がリンギング呼出停止と判定したタイミングで、リンギング継続監視タイマー部３１のタイマー値１０秒と着信条件設定部３４に設定されているリンギング呼出信号最大継続時間９秒を比較する。この場合、リンギング呼出信号最大継続時間９秒を超えているため、中央監視装置５からの呼出ではないと無効判定する。
【００５３】
次に中央監視装置５から呼出が行われた場合のリンギング呼出信号到来時の信号状態を図３に示す。
【００５４】
呼出周期が３秒で１６Ｈｚ鳴動信号が１回発生なので、中央監視装置５からは呼出を５秒間行うことことで、１６Ｈｚ鳴動信号の発生回数を１回ないし２回となるように呼出を行っている。
【００５５】
最初の１６Ｈｚ鳴動信号の先頭からリンギング継続監視タイマー部３１のタイマーがスタートする。１秒経過し１６Ｈｚ鳴動信号が一旦停止すると、直後からリンギング停止検出タイマー部３２がスタートする。
【００５６】
２つ目の１６Ｈｚ鳴動信号が送出された後、呼出が終了されるので、リンギング停止検出タイマー部３２のタイマーは２つ目の１６Ｈｚ鳴動信号を検出後、未検出になってから３秒経過して、呼出停止を検出する。
【００５７】
この時、リンギング継続監視タイマー部３１のタイマー値は７秒になる。
【００５８】
リンギング着信判定部３３では、リンギング停止検出タイマー部３２がリンギング呼出停止と判定したタイミングでリンギング継続監視タイマー部３１のタイマー値７秒と着信条件設定部３４に設定されているリンギング呼出信号最大継続時間９秒を比較する。この場合、リンギング呼出信号最大継続時間９秒を超えてないため、中央監視装置５からの呼出であると有効判定し、ガス事業者からの呼出を特定する。
【００５９】
一方、接続されている回線にナンバーディスプレイサービスの契約された場合についてのリンギング通信動作について図１、図４、図５を用いて説明する。
【００６０】
ここでも中央監視装置５からの呼出は、１回の呼出で１６Ｈｚ鳴動信号の最大発生回数を２回、連続呼出回数を３回が行われるとして説明する。
【００６１】
図４は中央監視装置５からのナンバーディスプレイサービス契約回線に対する呼出状態である。
【００６２】
この場合、中央監視装置５ではガス需要家がナンバーディスプレイサービスの契約をしているかどうかわからないため、通常どおり発信後呼出が開始された後５秒経過後に発信を中止している。
【００６３】
しかしながら接続されている回線にナンバーディスプレイサービスが契約されているため、公衆回線３にはナンバーディスプレイサービス用の情報端末受信起動信号が発生する。この起動信号は１周期１秒で、０．５秒間１６Ｈｚ鳴動信号が重畳される。従って、公衆回線３には５秒間で１６Ｈｚ鳴動信号が４回発生することになる。
【００６４】
この場合、最初の１６Ｈｚ鳴動信号の先頭からリンギング継続監視タイマー部３１のタイマーがスタートし、４回目の１６Ｈｚ鳴動信号がやってきた後、０．５秒経過し１６Ｈｚ鳴動信号が一旦停止すると、直後からリンギング停止検出タイマー部３２が再スタートする。この後、呼出が終了されるとリンギング停止検出タイマー部３２のタイマーは３秒経過して、呼出停止を検出する。この時、リンギング継続監視タイマー部３１のタイマー値は６．５秒になっている。
【００６５】
リンギング着信判定部３３では、リンギング停止検出タイマー部３２がリンギング呼出停止と判定したタイミングでリンギング継続監視タイマー部３１のタイマー値６．５秒と着信条件設定部３４に設定されているリンギング呼出信号最大継続時間９秒を比較する。リンギング呼出信号最大継続時間９秒を超えてないため、中央監視装置５からの呼出であると有効判定し、ガス事業者からの呼出と特定する。
【００６６】
次に、図５は一般からのナンバーディスプレイサービス契約回線に対する呼出状態である。そして発信後呼出が開始された後７秒経過後に発信を中止したケースである。
【００６７】
この場合、接続されている回線にナンバーディスプレイサービスが契約されているため、公衆回線３にはナンバーディスプレイサービス用の情報端末受信起動信号が発生する。この起動信号は１周期１秒で、０．５秒間１６Ｈｚ鳴動信号が重畳される。従って、公衆回線３には７秒間で１６Ｈｚ鳴動信号が７回発生することになる。
【００６８】
最初の１６Ｈｚ鳴動信号の先頭からリンギング継続監視タイマー部３１のタイマーがスタートする。７回目の１６Ｈｚ鳴動信号がやってきた後、０．５秒経過し１６Ｈｚ鳴動信号が一旦停止すると、直後からリンギング停止検出タイマー部３２が再スタートする。この後、呼出が終了されるので、リンギング停止検出タイマー部３２のタイマーは３秒経過して、呼出停止を検出する。この時、リンギング継続監視タイマー部３１のタイマー値は９．５秒になっている。
【００６９】
リンギング着信判定部３３では、リンギング停止検出タイマー部３２がリンギング呼出停止と判定したタイミングでリンギング継続監視タイマー部３１のタイマー値９．５秒と着信条件設定部３４に設定されているリンギング呼出信号最大継続時間９秒を比較する。この場合、リンギング呼出信号最大継続時間９秒を超えているため、中央監視装置５からの呼出であると無効判定する。
【００７０】
この回線端末装置４１のリンギング着信判定部３３ではリンギング検出部１６からの１６Ｈｚ鳴動信号をリンギング停止検出タイマー部３２やリンギング継続監視タイマー部３１でリンギング継続時間を計測し、着信条件設定部３４で設定されたリンギング呼出信号最大継続時間超えた場合は無効とし、越えなかった場合は有効としてガス事業者からの呼出を特定する。
【００７１】
また、リンギング継続監視タイマー部３１のタイマーはリンギング停止検出部３２がリンギング停止を検出するとストップして、リンギング検出部１６より新たにリンギング呼出信号の１６Ｈｚ鳴動信号を検出した時点からタイマーを再スタートして監視を行うようになっている。
【００７２】
中央監視装置５では、引き続きこの呼出を一定間隔であと２回行う。
【００７３】
そして、リンギング着信判定部３３は着信条件設定部３４で設定された連続呼出回数３回になると条件成立と判定する。
【００７４】
すると３回目の呼出での１６はＺ鳴動信号を検出すると、中央制御部３０は網制御部１４で回線を閉結し、リンギング着信応答部１７からは着信応答信号が送信される。
【００７５】
この応答信号は公衆回線３と交換局４を介して、中央監視装置５へ伝えられる。以降の通信は従来例と同じ要領で行う。
【００７６】
このように、回線端末装置４１では、リンギング呼出継続時間を計測することで、接続されている回線がナンバーディスプレイサービス契約され、あるいは鳴り分けサービスの契約がされ、呼出信号の１周期中に２回以上の１６Ｈｚ鳴動信号が発生する場合でも、特定事業者の中央監視装置５からの呼出か、一般からの呼出かを判定することが可能である。
【００７７】
また、公衆回線３がＩＳＤＮ回線でターミナルアダプタのアナログポート経由で接続された場合で、ナンバーディスプレイサービスや擬似鳴り分けサービスが利用されても、同様に判定が可能である。
【００７８】
次に、回線端末装置が２台以上同じ回線に接続される場合を説明する。
【００７９】
図１に示されるようにリンギング着信設定部３４は、中央制御部３０より着信応答条件が任意に変更できるようになっている。
【００８０】
まず、この回線端末装置４１を公衆回線３に１台接続した状態で、上述したリンギング着信により通信を開始し、中央監視装置５から着信条件設定部３４のリンギング着信時の応答条件データをリンギング呼出信号継続時間を２倍に変更する電文を送信する。この電文を送受信部１５で受信すると、中央制御部３０では着信条件設定部３４のリンギング着信時の応答条件データをこの受信したデータに変更する。
【００８１】
その後、もう１台の回線端末装置を公衆回線３に接続する。後で追加接続された回線端末装置は先に接続された回線端末装置とリンギング着信時の応答条件が異なるため、中央監視装置５は通信したい側の回線端末装置に合わせたリンギング着信を行うことにより、任意の回線端末装置と通信が可能となる。
【００８２】
また、この回線端末装置４１には、データ端末装置２との通信を行う端末インターフェース部１１を備えているので、その通信仕様に整合した設定器を用意すれば、その設定器をデータ端末装置２の代わりに一時的に接続し、端末インターフェース部１１を介して中央制御部３０にリンギング着信時の応答条件データを送信すると、着信条件設定部３４にはそのデータを設定することができる。
【００８３】
以上のように、回線端末装置４１の設置作業者が設置現場で直接、リンギング着信時の応答条件データを設定することができるため、中央監視装置５からの通信による設定変更の必要がなく、現場作業優先の効率的な設置作業ができる。また設定器とのインターフェースにはデータ端末装置２のインターフェースである端末インターフェース部１１を共用でき、コストアップしなでの実現が可能である。
【００８４】
また、図９のように公衆回線３がＩＳＤＮ回線になった場合、図９のようにターミナルアダプタ４４経由で接続されることになる。このターミナルアダプタ４４の呼出信号の仕様は公衆回線３の呼出信号の仕様と異なる場合が多く、接続されるターミナルアダプタ４４の呼出信号の仕様に応じてリンギング着信時の応答条件データを変更することができるので、ターミナルアダプタの仕様によらず幅広くリンギング着信が可能である。
【産業上の利用可能性】
【００８５】
以上のように、本発明にかかる回線端末装置によれば、１６Ｈｚ鳴動信号の発生を起点として、呼出の停止を１６Ｈｚ鳴動信号が所定時間連続して検出しなくなるまでの時間を計測することで、中央監視装置からの呼出であるか一般の呼出であるかの判定を行うことができるので、公衆回線網を利用したリンギング通信によりデータ端末装置の情報を収集する回線端末装置に幅広く適用できる。
【図面の簡単な説明】
【００８６】
【図１】本発明の実施の形態１における回線端末装置のブロック構成図
【図２】本発明の実施の形態１における回線端末装置の一般からの呼出時のリンギング呼出信号到来状態図
【図３】本発明の実施の形態１における回線端末装置の中央監視装置からのリンギング呼出信号到来状態図
【図４】本発明の実施の形態１における回線端末装置がナンバーディスプレイサービス契約回線に接続された場合の中央監視装置からのリンギング呼出信号到来状態図
【図５】本発明の実施の形態１における回線端末装置がナンバーディスプレイサービス契約回線に接続された場合の一般呼出からのリンギング呼出信号到来状態図
【図６】従来の回線端末装置のブロック構成図
【図７】従来の回線端末装置における一般呼出からのリンギング呼出信号到来状態図
【図８】従来の回線端末装置における回線端末装置の中央監視装置からのリンギング呼出信号到来状態図
【図９】従来の回線端末装置のＩＳＤＮ回線への接続図
【図１０】ナンバーディスプレイサービス契約回線に接続された従来の回線端末装置への中央監視装置からのリンギング呼出信号到来時の信号状態図
【符号の説明】
【００８７】
２  データ端末装置
３  公衆回線（回線）
１１  端末インターフェース部
１４  網制御部
１５  送受信部
１６  リンギング検出部
１７  リンギング着信応答部
３０  中央制御部
３１  リンギング継続監視タイマー部
３２  リンギング停止検出タイマー部
３３  リンギング着信判定部
３４  着信条件設定部
【図１】
2005117383.tif 000003
【図２】
2005117383.tif 000004
【図３】
2005117383.tif 000005
【図４】
2005117383.tif 000006
【図５】
2005117383.tif 000007
【図６】
2005117383.tif 000008
【図７】
2005117383.tif 000009
【図８】
2005117383.tif 000010
【図９】
2005117383.tif 000011
【図１０】
2005117383.tif 000012